(57)【要約】【課題】ユーザの利便性をより向上させることを可能にする。【解決手段】少なくとも１つの光学部材を移動させることによりオートフォーカス動作を実行させるオートフォーカス制御部と、前記オートフォーカス動作によって被写体である生体組織への合焦が可能かどうかを判定するオートフォーカス動作判定部と、を備え、前記オートフォーカス動作判定部によって、前記オートフォーカス動作により前記被写体への合焦ができないと判定された場合に、前記オートフォーカス制御部は、前記少なくとも１つの光学部材を、撮影用途に応じて予め設定される予測合焦位置に移動させる、制御装置を提供する。【選択図】図１
2016185952.tif 000002
【特許請求の範囲】
【請求項１】
少なくとも１つの光学部材を移動させることによりオートフォーカス動作を実行させるオートフォーカス制御部と、
前記オートフォーカス動作によって被写体である生体組織への合焦が可能かどうかを判定するオートフォーカス動作判定部と、
を備え、
前記オートフォーカス動作判定部によって、前記オートフォーカス動作により前記被写体への合焦ができないと判定された場合に、前記オートフォーカス制御部は、前記少なくとも１つの光学部材を、撮影用途に応じて予め設定される予測合焦位置に移動させる、
制御装置。
【請求項２】
前記予測合焦位置は、前記被写体の撮影が行われる手術の術式に応じて設定される、
請求項１に記載の制御装置。
【請求項３】
前記予測合焦位置は、前記被写体の撮影が行われる診療科に応じて設定される、
請求項１に記載の制御装置。
【請求項４】
前記予測合焦位置は、撮影された前記被写体を観察する術者に応じて設定可能である、
請求項１に記載の制御装置。
【請求項５】
前記予測合焦位置は、前記制御装置に接続される撮像装置に取り付けられた光学系の光学特性に応じて設定される、
請求項１に記載の制御装置。
【請求項６】
前記オートフォーカス動作は、被写体像のコントラストに基づいて実行される、
請求項１に記載の制御装置。
【請求項７】
前記オートフォーカス動作は、前記少なくとも１つの光学部材を移動させながら被写体像のコントラストが最大となる位置を探索し、当該コントラストが最大となる位置に前記少なくとも１つの光学部材を移動させることにより合焦を行う動作である、
請求項６に記載の制御装置。
【請求項８】
オートフォーカス動作中に被写体像のコントラストが最大となる前記少なくとも１つの光学部材の位置が決定されない状態で所定の時間が経過した場合に、当該オートフォーカス動作によって前記被写体への合焦ができないと判定され、前記少なくとも１つの光学部材が前記予測合焦位置に移動する、
請求項７に記載の制御装置。
【請求項９】
オートフォーカス動作中に前記少なくとも１つの光学部材が可動範囲に含まれる特定の範囲の端点に所定の回数到達した場合に、当該オートフォーカス動作によって前記被写体への合焦ができないと判定され、前記少なくとも１つの光学部材が前記予測合焦位置に移動する、
請求項７に記載の制御装置。
【請求項１０】
前記オートフォーカス動作は、被写体からの光を受光面内の互いに異なる位置に結像させて得られた２つの被写体像の像間隔に基づいて前記被写体との距離を算出し、当該距離に基づいて前記少なくとも１つの光学部材を移動させることにより合焦を行う動作である、
請求項６に記載の制御装置。
【請求項１１】
前記オートフォーカス動作は、被写体像のデフォーカス度合いに基づいて前記被写体との距離を算出し、当該距離に基づいて前記少なくとも１つの光学部材を移動させることにより合焦を行う動作である、
請求項６に記載の制御装置。
【請求項１２】
前記オートフォーカス動作は、被写体からの光を受光面内の互いに異なる位置に結像させて得られた２つの被写体像から得られる視差情報に基づいて三角測量の原理により前記被写体との距離を算出し、当該距離に基づいて前記少なくとも１つの光学部材を移動させることにより合焦を行う動作である、
請求項６に記載の制御装置。
【請求項１３】
被写体である生体組織を撮影する撮像素子と、
前記撮像素子に前記被写体からの光を集光するとともに、合焦動作のために少なくとも１つの光学部材が光軸上を移動可能に構成される光学系と、
前記少なくとも１つの光学部材を移動させることによりオートフォーカス動作を実行させるオートフォーカス制御部と、
前記オートフォーカス動作によって前記被写体への合焦が可能かどうかを判定するオートフォーカス動作判定部と、
を備え、
前記オートフォーカス動作判定部によって、オートフォーカス動作により前記被写体への合焦ができないと判定された場合に、前記オートフォーカス制御部は、前記少なくとも１つの光学部材を、撮影用途に応じて予め設定される予測合焦位置に移動させる、
医療用撮像システム。
【発明の詳細な説明】
【技術分野】
【０００１】
本開示は、制御装置及び医療用撮像システムに関する。
【背景技術】
【０００２】
手術や検査の際に患者の生体組織を観察するために当該生体組織を撮影するシステムとして、内視鏡システムや顕微鏡システム（以下、撮像システムと総称する）が知られている。撮像システムにおいては、被写体に対して自動的に焦点合わせを行うオートフォーカス（ＡＦ）機能が備えられたものがある。例えば、特許文献１には、被写体からの光の光量変化を検出し、当該光量変化が所定の範囲内である場合には光学系を駆動させてＡＦ動作を実行し、当該光量変化が所定の範囲外である場合にはＡＦ動作を行わずに光学系を初期位置に移動させる顕微鏡システムが開示されている。
【先行技術文献】
【特許文献】
【０００３】
【特許文献１】特開平５−２３２３７８号公報
【発明の概要】
【発明が解決しようとする課題】
【０００４】
しかしながら、上記特許文献１に記載の技術では、光量変化が所定の範囲外である場合、すなわちＡＦ動作を正常に実行できないと判断された場合には、光学系が初期位置に移動されるだけであるため、結果的に、焦点の合っていない不鮮明な映像が得られる可能性が高い。従って、手術や検査を行うためには、手動で光学系の位置を調整する等、術者が焦点合わせのための追加的な作業を行う必要がある。上記事情に鑑みれば、ユーザにとってより利便性の高い撮像システムが求められていた。【０００５】
そこで、本開示では、ユーザの利便性をより向上させることが可能な、新規かつ改良された制御装置及び医療用撮像システムを提案する。
【課題を解決するための手段】
【０００６】
本開示によれば、少なくとも１つの光学部材を移動させることによりオートフォーカス動作を実行させるオートフォーカス制御部と、前記オートフォーカス動作によって被写体である生体組織への合焦が可能かどうかを判定するオートフォーカス動作判定部と、を備え、前記オートフォーカス動作判定部によって、前記オートフォーカス動作により前記被写体への合焦ができないと判定された場合に、前記オートフォーカス制御部は、前記少なくとも１つの光学部材を、撮影用途に応じて予め設定される予測合焦位置に移動させる、制御装置が提供される。【０００７】
また、本開示によれば、被写体である生体組織を撮影する撮像素子と、前記撮像素子に前記被写体からの光を集光するとともに、合焦動作のために少なくとも１つの光学部材が光軸上を移動可能に構成される光学系と、前記少なくとも１つの光学部材を移動させることによりオートフォーカス動作を実行させるオートフォーカス制御部と、前記オートフォーカス動作によって前記被写体への合焦が可能かどうかを判定するオートフォーカス動作判定部と、を備え、前記オートフォーカス動作判定部によって、オートフォーカス動作により前記被写体への合焦ができないと判定された場合に、前記オートフォーカス制御部は、前記少なくとも１つの光学部材を、撮影用途に応じて予め設定される予測合焦位置に移動させる、医療用撮像システムが提供される。【０００８】
本開示によれば、オートフォーカス動作によって前記被写体への合焦ができないと判定された場合に、オートフォーカス動作の際に移動される少なくとも１つの光学部材（例えばフォーカスレンズ等）が、撮影の用途に応じて予め設定される予測合焦位置に移動する。当該予測合焦位置としては、撮影の用途に応じて想定される被写体距離に基づいて、当該被写体距離において被写体に焦点が合うような当該少なくとも１つの光学部材の位置が設定され得る。従って、当該少なくとも１つの光学部材が予測合焦位置に移動することにより、被写体である生体組織に対して比較的焦点の合った映像が得られることとなる。よって、術者は、焦点合わせ等の追加的な作業を行うことなく、そのまま手術や検査を実行することが可能となるため、術者の利便性をより向上させることができる。
【発明の効果】
【０００９】
以上説明したように本開示によれば、ユーザの利便性をより向上させることが可能になる。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１０】
【図１】本実施形態に係る撮像システムの一構成例を示すブロック図である。
【図２】コントラスト方式におけるＡＦ動作の概念について説明するための説明図である。
【図３】コントラスト方式におけるＡＦ動作の概念について説明するための説明図である。
【図４】本実施形態に係る撮像方法の処理手順の一例を示すフロー図である。
【図５】位相差方式におけるＡＦ動作の概念について説明するための説明図である。
【図６】位相差方式におけるＡＦ動作の概念について説明するための説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．撮像システムの構成
２．撮像方法
３．変形例
３−１．位相差方式が用いられる場合
３−２．デプスマップ方式が用いられる場合
３−３．三角測距方式が用いられる場合
４．補足
【００１３】
なお、以下では、本開示の一実施形態に係る撮像システムに対して各種の操作を行うユーザのことを、便宜的に術者と記載する。ただし、当該記載は撮像システムを使用するユーザを限定するものではなく、撮像システムに対する各種の操作は、他の医療スタッフ等、あらゆるユーザによって実行されてよい。
【００１４】
（１．撮像システムの構成）
図１を参照して、本開示の一実施形態に係る撮像システムの構成について説明する。図１は、本実施形態に係る撮像システムの一構成例を示すブロック図である。
【００１５】
図１を参照すると、本実施形態に係る撮像システム１は、撮像装置１０と、当該撮像装置１０の動作に係る各種の信号処理を行う制御装置２０と、を備える。本実施形態では、撮像システム１は、医療用の撮像システム１であり、手術時や検査時に患者の生体組織を撮影することを目的としている。撮像システム１は、例えば内視鏡システムや顕微鏡システムであり得る。内視鏡システムでは、手術時又は検査時に、患者の体腔内に挿入された内視鏡によって当該体腔内の生体組織が撮影される。一方、顕微鏡システムでは、開腹手術時又は開頭手術時に、支持アーム等によって術部の上方に支持される顕微鏡部（例えば、鏡筒内に光学系及び撮像素子が搭載されて構成される）によって術部が撮影される。術者は、内視鏡又は顕微鏡部によって撮影された術部又は検査部位の映像を参照しながら、手術又は検査を行うことができる。
【００１６】
図１では、撮像システム１の一例として、内視鏡システムに対応する構成を図示している。例えば、撮像装置１０はカメラヘッドに対応し、制御装置２０はカメラコントロールユニット（ＣＣＵ：Ｃａｍｅｒａ  Ｃｏｎｔｒｏｌｌ  Ｕｎｉｔ）に対応する。撮像装置１０と制御装置２０とは、光ファイバ及び／又は電気信号ケーブルによって接続されており、光信号及び／又は電気信号によって各種の情報を送受信することができる。
【００１７】
なお、図１では、本実施形態の説明のために必要な構成のみを主に図示し、その他の構成の図示を省略している。ただし、撮像システム１は、内視鏡や、撮影時に被写体である患者の生体組織に対して照射される照明光を当該内視鏡に供給する光源装置等、一般的な内視鏡システムが備える各種の構成を備え得る。
【００１８】
撮影時には、内視鏡の細径の挿入部が患者の体腔内に挿入される。内視鏡の挿入部の先端には照明窓が設けられており、当該照明窓から、光源装置から供給された照明光が被写体に対して照射される。内視鏡の挿入部の先端には、当該照明光による被写体からの反射光（観察光）を取り込む観察窓も設けられており、当該観察窓から取り込まれた観察光は、内視鏡の鏡筒の内部に設けられる導光部材によって、当該内視鏡の基端まで導かれる。内視鏡の基端に撮像装置１０（すなわちカメラヘッド）が取り付けられており、観察光が、後述する撮像装置１０の内部に設けられる撮像素子１０５に集光されることにより、被写体像が撮影される。
【００１９】
以下、撮像装置１０及び制御装置２０の構成についてより詳細に説明する。まず、撮像装置１０の構成について説明する。
【００２０】
撮像装置１０は、光学系１０１と、撮像素子１０５と、を有する。また、撮像装置１０は、その機能として、ズームレンズ駆動部１０７と、フォーカスレンズ駆動部１１１と、撮像素子駆動部１１５と、を有する。
【００２１】
光学系１０１は、内視鏡内を導光されてきた観察光を撮像素子１０５に集光する。光学系１０１は、ズームレンズ１０２及びフォーカスレンズ１０３を含む。なお、図１では、代表的にズームレンズ１０２及びフォーカスレンズ１０３のみを図示しているが、光学系１０１は、他のレンズやフィルター等、各種の光学部材を含んでもよい。光学系１０１を構成する光学部材の種類や数、各光学部材の光学特性等は、当該光学系１０１によって撮像素子１０５の受光面上に被写体像が結像されるように、適宜調整されている。
【００２２】
ズームレンズ１０２は、光学系１０１の倍率を調整するためのレンズである。ズームレンズ１０２は光軸上を移動可能に構成されており、ズームレンズ１０２の光軸上での位置が制御されることにより、光学系１０１の倍率が調整される。なお、ズームレンズ１０２は、光学系１０１の倍率を調整するための光学部材の一例である。本実施形態では、光学系１０１に含まれる少なくとも１つの光学部材の光軸上での位置が調整されることにより当該光学系１０１の倍率が調整されればよく、倍率の調整のために移動可能に構成される光学部材の数及び種類は限定されない。
【００２３】
フォーカスレンズ１０３は、光学系１０１の合焦距離を調整するためのレンズである。フォーカスレンズ１０３は光軸上を移動可能に構成されており、フォーカスレンズ１０３の光軸上での位置が制御されることにより、光学系１０１の合焦距離が調整される。なお、フォーカスレンズ１０３は、光学系１０１の合焦距離を調整するための光学部材の一例である。本実施形態では、光学系１０１に含まれる少なくとも１つの光学部材の光軸上での位置が調整されることにより当該光学系１０１の合焦距離が調整されればよく、合焦距離の調整のために移動可能に構成される光学部材の数及び種類は限定されない。
【００２４】
撮像素子１０５は、観察光をその受光面で受光することにより、被写体を撮影する。具体的には、撮像素子１０５は、ホトダイオード等の受光素子が配列されてなる受光面を有し、当該受光面で観察光を受光することにより、光電変換により、当該観察光に対応する電気信号、すなわち被写体像に対応する電気信号である撮像信号を取得する。撮像素子１０５の構成は限定されず、撮像素子１０５としては、例えばＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサ等の、各種の公知の撮像素子が用いられてよい。撮像素子１０５によって取得された撮像信号は、後述する制御装置２０の撮像信号処理部１１７に送信される。
【００２５】
ズームレンズ駆動部１０７は、例えばモータ、及び当該モータに対して駆動電流を供給するドライバ回路等によって構成され、ズームレンズ１０２を光軸に沿って移動させる。ズームレンズ駆動部１０７の動作は、図示しないズームレンズ駆動制御部によって制御される。当該ズームレンズ駆動制御部は、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等の各種のプロセッサ、又はプロセッサとメモリ等の記憶素子とがともに搭載されてなるマイコン等によって構成され、ズームレンズ駆動部１０７の動作を制御する。当該ズームレンズ駆動制御部は、ＦＰＧＡ（Ｆｉｅｌｄ−Ｐｒｏｇｒａｍｍａｂｌｅ  Ｇａｔｅ  Ａｒｒａｙ）、ドライバＩＣ（Ｉｎｔｅｇｒａｔｅｄ  Ｃｉｒｃｕｉｔ）、及び／又は専用のＬＳＩ（Ｌａｒｇｅ−Ｓｃａｌｅ  Ｉｎｔｅｇｒａｔｉｏｎ）（すなわちＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ））等の各種の集積回路によって構成されてもよい。当該ズームレンズ駆動制御部の機能は、当該ズームレンズ駆動制御部を構成するプロセッサが所定のプログラムに従って演算処理を実行することにより実現され得る。
【００２６】
具体的には、後述する制御装置２０のズーム動作制御部１２７によって算出されるズームレンズ１０２の移動量に従って、当該ズームレンズ駆動制御部によってズームレンズ駆動部１０７の駆動が制御されることにより、当該移動量の分だけズームレンズ１０２が移動し、光学系１０１の倍率が調整される。なお、光学系１０１の倍率の調整のためにズームレンズ１０２以外の他の光学部材も移動可能に構成される場合であれば、当該ズームレンズ駆動制御部からの制御により、ズームレンズ駆動部１０７によって、当該他の光学部材も光軸上を移動してよい。
【００２７】
なお、ズームレンズ駆動部１０７及び当該ズームレンズ駆動制御部の構成及び機能は、一般的な撮像装置（例えば内視鏡システムのカメラヘッド）に搭載される、ズーム機能を実現するための機構の構成及び機能と同様であってよい。従って、ここでは、ズームレンズ駆動部１０７及び当該ズームレンズ駆動制御部の構成及び機能についてのより詳細な説明は省略する。
【００２８】
フォーカスレンズ駆動部１１１は、例えばモータ、及び当該モータに対して駆動電流を供給するドライバ回路等によって構成され、フォーカスレンズ１０３を光軸に沿って移動させる。フォーカスレンズ駆動部１１１の動作は、図示しないフォーカスレンズ駆動制御部によって制御される。当該フォーカスレンズ駆動制御部は、ＣＰＵやＤＳＰ等の各種のプロセッサ、又はマイコン等によって構成され、フォーカスレンズ駆動部１１１の動作を制御する。当該フォーカスレンズ駆動制御部は、ＦＰＧＡ、ドライバＩＣ、及び／又は専用のＬＳＩ（すなわちＡＳＩＣ）等の各種の集積回路によって構成されてもよい。当該フォーカスレンズ駆動制御部の機能は、当該フォーカスレンズ駆動制御部を構成するプロセッサが所定のプログラムに従って演算処理を実行することにより実現され得る。
【００２９】
具体的には、撮像システム１は、オートフォーカス（ＡＦ）機能を有している。後述する制御装置２０のオートフォーカス制御部１１８（ＡＦ制御部１１８）によって所定のＡＦの方式に従って算出されるフォーカスレンズ１０３の移動量に従って、当該フォーカスレンズ駆動制御部によってフォーカスレンズ駆動部１１１の駆動が制御されることにより、当該移動量の分だけフォーカスレンズ１０３が移動し、光学系１０１の合焦距離が調整される。なお、光学系１０１の合焦距離の調整のためにフォーカスレンズ１０３以外の他の光学部材も移動可能に構成される場合であれば、当該フォーカスレンズ駆動制御部からの制御により、フォーカスレンズ駆動部１１１によって、当該他の光学部材も光軸上を移動してよい。
【００３０】
なお、フォーカスレンズ駆動部１１１及び当該フォーカスレンズ駆動制御部の構成及び機能は、一般的な撮像装置（例えば内視鏡装置のカメラヘッド）に搭載される、ＡＦ機能を実現するための機構の構成及び機能と同様であってよい。従って、ここでは、フォーカスレンズ駆動部１１１及び当該フォーカスレンズ駆動制御部の構成及び機能についてのより詳細な説明は省略する。
【００３１】
撮像素子駆動部１１５は、撮像素子１０５を駆動するためのドライバに対応する。撮像素子駆動部１１５は、所定のタイミングで撮像素子１０５に対して駆動信号（撮像素子１０５に搭載されるトランジスタ等を駆動するための信号）を供給することにより、撮像素子１０５に、撮影動作、リセット動作等の動作を所定のタイミングで実行させ、被写体像に対応する撮像信号を取得させる。なお、図示は省略するが、撮像素子駆動部１１５の動作を制御する撮像素子駆動制御部が、撮像装置１０又は制御装置２０に設けられ得る。撮像素子駆動制御部は、ＣＰＵやＤＳＰ等の各種のプロセッサ、又はマイコン等によって構成され、上記駆動信号を撮像素子１０５に供給するタイミングを撮像素子駆動部１１５に対して指示することにより、撮像素子駆動部１１５を介して、撮像素子１０５の駆動を制御する。なお、当該撮像素子駆動制御部の機能は、当該撮像素子駆動制御部を構成するプロセッサが所定のプログラムに従って演算処理を実行することにより実現され得る。
【００３２】
撮像システム１では、撮影の開始及び終了は、スイッチ等の入力装置（図示せず）を介した術者による指示に従って制御され得る。具体的には、撮像システム１には、撮影を開始する旨の指示信号を入力するための入力装置が設けられており、当該入力装置を介した術者の指示に従って、上記撮像素子駆動制御部によって撮像素子１０５の駆動が制御されることにより、撮影の開始及び終了が実行され得る。
【００３３】
なお、撮像素子駆動部１１５及び当該撮像素子駆動制御部の構成及び機能は、一般的な撮像装置（例えば内視鏡装置のカメラヘッド）に搭載される、撮像素子による被写体の撮影機能を実現するための機構の構成及び機能と同様であってよい。従って、ここでは、撮像素子駆動部１１５及び当該撮像素子駆動制御部の構成及び機能についてのより詳細な説明を省略する。
【００３４】
なお、上述したズームレンズ駆動制御部、フォーカスレンズ駆動制御部及び／又は撮像素子駆動制御部に対応する構成は、撮像装置１０に搭載されてもよいし、制御装置２０に搭載されてもよい。また、図示は省略するが、制御装置２０には、撮像装置１０との間で各種の情報をやり取りするための光ファイバ及び／又は電気信号ケーブルが接続されるコネクタ（図示せず）が設けられ得る。当該コネクタは、当該コネクタ内に各種の情報処理を実行する集積回路を搭載可能に構成されてもよく、上記ズームレンズ駆動制御部、フォーカスレンズ駆動制御部及び／又は撮像素子駆動制御部に対応する構成は、当該コネクタ内に搭載されてもよい。
【００３５】
以上、撮像装置１０の構成について説明した。ただし、撮像装置１０の構成はかかる例に限定されない。本実施形態では、撮像装置１０は、撮像素子１０５、及び当該撮像素子１０５に観察光を集光するための光学系１０１を少なくとも有するとともに、ＡＦ機能に対応して当該光学系１０１に含まれる少なくとも１つの光学部材が駆動可能に構成されればよく、撮像装置１０の具体的な装置構成は任意であってよい。撮像装置１０としては、各種の公知な構成が適用されてよい。
【００３６】
次に、制御装置２０の構成について説明する。制御装置２０は、その機能として、撮像信号処理部１１７と、ＡＦ制御部１１８と、ＡＦ動作判定部１２５と、ズーム動作制御部１２７と、を有する。
【００３７】
制御装置２０は、上述したように例えばＣＣＵに対応し、各種のプロセッサ及びメモリ等の記憶素子によって構成される。上記の制御装置２０の各機能は、制御装置２０を構成するプロセッサが所定のプログラムに従って演算処理を実行することにより実現される。
【００３８】
ズーム動作制御部１２７は、撮像システム１のズーム動作に係る各種の制御を行う。具体的には、撮像システム１には、術者によって、ズーム動作を行う旨の指示信号（ズーム指示信号）が入力され得る。当該ズーム指示信号は、例えばスイッチ等、撮像システム１に設けられる図示しない各種の入力装置を介して入力される。ズーム指示信号には、倍率についての指示も含まれており、ズーム動作制御部１２７は、ズーム指示信号に基づいて、指示された倍率を実現し得るズームレンズ１０２の移動量を決定する。決定された移動量についての情報は、図示しないズームレンズ駆動制御部に送信される。当該ズームレンズ駆動制御部によって、ズームレンズ駆動部１０７を介して、決定された移動量の分だけズームレンズ１０２が移動されることにより、術者の指示に従って光学系１０１の倍率が調整される。なお、光学系１０１の倍率の調整のためにズームレンズ１０２以外の他の光学部材も移動可能に構成される場合であれば、ズーム動作制御部１２７は、当該他の光学部材の光軸上での移動量も併せて決定してよい。
【００３９】
なお、ズーム動作制御部１２７の機能は、一般的な既存の撮像システムに搭載される倍率調整に係る機能と同様であってよいため、ここではより詳細な説明は省略する。
【００４０】
撮像信号処理部１１７は、撮像素子１０５によって取得された撮像信号に対して、ガンマ補正処理やホワイトバランスの調整処理等、被写体像を表示装置（図示せず）に表示するための各種の信号処理を行う。撮像信号処理部１１７によって各種の信号処理が施された後の撮像信号（以下、映像信号と呼称する）が表示装置に送信され、当該表示装置において、当該映像信号に基づいて被写体の映像が映し出される。術者は、当該表示装置を介して被写体である生体組織の様子を観察することができる。また、撮像信号処理部１１７は、映像信号を、後述するＡＦ制御部１１８のＡＦフレーム決定部１１９にも提供する。
【００４１】
ＡＦ制御部１１８は、撮像装置１０のＡＦ動作に係る各種の制御を行う。図１では、一例として、ＡＦの方式がコントラスト方式である場合に対応した、ＡＦ制御部１１８の機能構成を図示している。コントラスト方式とは、光学系１０１に含まれる少なくとも１つの光学部材（図示する例ではフォーカスレンズ１０３）を移動させながら、被写体像のコントラストが最大になる当該光学部材の位置を探索し、当該コントラストが最大になる位置に当該光学部材を移動させることにより合焦動作を行う方式である。
【００４２】
ただし、本実施形態では、撮像システム１に適用されるＡＦの方式は限定されない。当該ＡＦの方式としては、各種の公知の方式が用いられてよい。しかしながら、本実施形態では、撮像システム１には、好適に、パッシブ方式のＡＦの方式が適用され得る。
【００４３】
ここで、一般的に、ＡＦの方式は、アクティブ方式とパッシブ方式の２種類に大きく分類される。アクティブ方式は、例えば近赤外光等を被写体に対して照射してその反射光を受光することにより被写体との距離を測定し、測定された距離に基づいて当該被写体に焦点が合うように光学系を構成する光学部材を移動させることにより、合焦動作を行う方式である。一方、パッシブ方式は、測距用の光等を自ら発することなく、撮影された被写体像から得られる情報に基づいて被写体に焦点が合うように光学系を構成する光学部材を移動させることにより、合焦動作を行う方式である。
【００４４】
上述したように、撮像システム１は例えば内視鏡システムであり得るが、内視鏡システムでは、ＡＦの方式としてアクティブ方式は採用され難い。何故ならば、アクティブ方式では、内視鏡の先端に測距用の構成を設ける必要があるため、内視鏡の先端が大型化してしまい、患者の身体に掛かる負担が増大する恐れがあるからである。撮像システム１が顕微鏡システムである場合でも、術者の作業空間を確保するために、術部を撮影する顕微鏡部の構成が大型化することは好ましくない。従って、本実施形態では、撮像システム１におけるＡＦの方式としては、好適に、パッシブ方式が適用され得るのである。
【００４５】
パッシブ方式のＡＦの方式としては、上述したコントラスト方式の他にも、一般的に位相差方式、デプスマップ（ＤｅｐｔｈＭａｐ）方式、三角測距方式と呼称されている各種の方式が知られている。これらの方式は、いずれも、撮影された被写体像から得られる情報に基づいて合焦動作を行うものであるが、当該被写体像のコントラストが比較的小さい場合（いわゆるローコントラストの場合）には、合焦動作を正常に行うことが困難である（すなわち、ＡＦ動作によって被写体への合焦を行うことが困難である）という特徴がある。このような、被写体像がローコントラストの場合に合焦動作を正常に行うことが困難となるＡＦの方式は、コントラストに基づいてＡＦ動作が実行される方式ともみなすことができるため、以下の説明では、このようなＡＦの方式のことを、便宜的に、コントラストに基づく方式とも呼称することとする。パッシブ方式のＡＦの方式の多くはコントラストに基づく方式であるため、本実施形態は、ＡＦの方式としてコントラストに基づく方式が適用されている撮像システム１を対象としたものであるとも言える。
【００４６】
図１に戻り、ＡＦ制御部１１８の機能についての説明を続ける。ＡＦ制御部１１８は、その機能として、ＡＦフレーム決定部１１９と、コントラスト検出部１２１と、フォーカスレンズ移動量決定部１２３と、を有する。なお、ＡＦ制御部１１８は、術者によって入力されるＡＦ動作を行う旨の指示信号（ＡＦ指示信号）に従って、ＡＦ動作に係る一連の処理を実行する。当該ＡＦ指示信号は、例えばスイッチ等、撮像システム１に設けられる図示しない各種の入力装置を介して入力され得る。
【００４７】
ＡＦフレーム決定部１１９は、撮像信号処理部１１７によって得られた映像信号に基づいて被写体像を生成し、当該被写体像の中から、ＡＦ動作を行う際に焦点を合わせる対象となる領域（ＡＦフレーム）を決定する。ＡＦフレーム決定部１１９は、決定したＡＦフレームについての情報をコントラスト検出部１２１に提供する。
【００４８】
コントラスト検出部１２１は、被写体像において、ＡＦフレーム決定部１１９によって決定されたＡＦフレームに対応する領域のコントラストを検出する。ＡＦ制御部１１８では、ＡＦフレームに対応する領域のコントラストを被写体像のコントラストとみなして、ＡＦ動作が行われることとなる。コントラスト検出部１２１は、検出したＡＦフレームに対応する領域のコントラスト（すなわち、被写体像のコントラスト）についての情報を、フォーカスレンズ移動量決定部１２３に提供する。
【００４９】
フォーカスレンズ移動量決定部１２３は、コントラスト検出部１２１によって検出された被写体像のコントラストについての情報に基づいて、フォーカスレンズ１０３の移動量を決定する。具体的には、フォーカスレンズ移動量決定部１２３は、前回ステップにおける被写体像のコントラストと、現在ステップにおける被写体像のコントラストと、に基づいて、当該コントラストがより大きくなる方向に所定の距離だけフォーカスレンズ１０３が光軸上を移動するように、当該フォーカスレンズ１０３の移動量を決定する。なお、最初のステップでは（前回ステップにおける被写体像のコントラストについての情報が存在しない場合には）、予め設定される所定の方向に所定の距離だけフォーカスレンズ１０３を移動させるように、当該フォーカスレンズ１０３の移動量が決定されればよい。
【００５０】
決定されたフォーカスレンズ１０３の移動量についての情報は、図示しないフォーカスレンズ駆動制御部に送信される。当該フォーカスレンズ駆動制御部によって、フォーカスレンズ駆動部１１１を介して、決定された移動量の分だけフォーカスレンズ１０３が移動される。
【００５１】
以下、以上説明した一連の処理が繰り返し実行されることにより、コントラスト方式でのＡＦ動作が実行される。すなわち、フォーカスレンズ１０３が移動した後に撮像素子１０５によって得られた撮像信号に基づいて、撮像信号処理部１１７によって映像信号が生成される。当該映像信号に基づいて、ＡＦフレーム決定部１１９、コントラスト検出部１２１及びフォーカスレンズ移動量決定部１２３が上述した処理を再度実行し、決定された移動量に従ってフォーカスレンズ駆動制御部によってフォーカスレンズ１０３が移動される。これらの処理が繰り返し実行されることにより、最終的に、被写体像のコントラストが最大になる位置にフォーカスレンズ１０３が移動され、被写体に対して焦点の合った映像が得られることとなり、一連のＡＦ動作に係る処理が終了する。
【００５２】
なお、光学系１０１の合焦距離の調整のためにフォーカスレンズ１０３以外の他の光学部材も移動可能に構成される場合であれば、フォーカスレンズ移動量決定部１２３は、当該他の光学部材の光軸上での移動量も併せて決定してよい。
【００５３】
また、以上説明したＡＦ制御部１１８における一連の処理（ＡＦフレームの決定処理、コントラストの検出処理、及びフォーカスレンズ１０３の移動量決定処理）は、一般的な既存のコントラスト方式のＡＦ動作において行われている一連の処理と同様であってよい。各処理における具体的な方法としては、コントラスト方式でのＡＦ動作において用いられている各種の公知の方法が用いられてよいため、ここでは詳細な説明は省略する。例えば、コントラスト方式でのＡＦ動作の詳細については、本願出願人による先行出願である特許第２７４８６３７号明細書の記載を参照することができる。
【００５４】
ここで、撮像システム１に、コントラスト方式のような、被写体像のコントラストに基づく方式がＡＦの方式として適用されている場合には、ローコントラストの被写体を撮影する際に、ＡＦ制御部１１８よるＡＦ動作が正常に行われない可能性がある。
【００５５】
図２及び図３は、コントラスト方式におけるＡＦ動作の概念について説明するための説明図である。図２は、コントラスト方式におけるＡＦ動作を正常に実行し得る場合における被写体像のコントラストの一例を示している。図２に示すように、コントラストの変化が比較的大きな被写体の場合には、当該コントラストが最大になるフォーカスレンズ１０３の位置を比較的容易に見付けることができるため、ＡＦ動作が正常に実行され得る。一方、図３に示すように、コントラストの変化が比較的小さな被写体の場合には、当該コントラストが最大になるフォーカスレンズ１０３の位置を見付けることが困難であるため、ＡＦ動作が正常に行われない可能性がある。
【００５６】
ここで、一般的に、医療用の撮像システムにおいては、患者の血液や内臓、骨等の生体組織を撮影することが想定される。しかしながら、これらの生体組織はローコントラストである場合が多く、コントラストに基づく方式によってＡＦ動作を行う場合には、ＡＦ動作を正常に行うことが困難となることが考えられる。例えば、ノイズ等に起因するコントラストの微少な増減により、本来の合焦位置ではない誤った位置にフォーカスレンズ等の光学部材を移動させてしまう事態が生じ得る。あるいは、コントラスト方式が用いられる場合であれば、コントラストが最大となる位置（すなわち合焦位置）を決定することができずにフォーカスレンズ等の光学部材が光軸上を移動し続けてしまい、手術や検査を円滑に実行することが困難になる可能性がある。このように、撮像システムにおいてＡＦ動作が正常に実行されないことは、術者にとって大きなストレスとなり得る。
【００５７】
このような事態に対して、既存の技術として、例えば、上記特許文献１には、ＡＦ機能が搭載された顕微鏡システムにおいて、ＡＦ動作を正常に実行することができないと判定された場合に、当該ＡＦ動作を停止し、光学系を初期位置に移動させる顕微鏡システムが開示されている。しかしながら、特許文献１に記載の技術では、ＡＦ動作を正常に実行することができないと判定された場合には、光学系が初期位置に戻されてしまうため、結果的に、焦点の合っていない映像が得られる可能性が高い。従って、手術や検査を行うためには、術者が手動で焦点合わせを行う必要がある。よって、必ずしも術者にとって利便性が高いシステムが実現されているとは言えなかった。
【００５８】
そこで、本実施形態では、ＡＦ動作判定部１２５によって、ＡＦ動作を正常に実行可能かどうか、すなわち、ＡＦ動作によって被写体への合焦が可能かどうかが判定される。そして、ＡＦ動作によって被写体への合焦ができないと判定された場合には、ＡＦ制御部１１８におけるＡＦ動作に係る処理を停止し、撮影用途に応じて予め設定される所定の位置にフォーカスレンズ１０３を移動させる。ここで、当該所定の位置としては、撮影用途に応じて想定される被写体距離に基づいて、当該被写体距離において被写体に焦点が合うようなフォーカスレンズ１０３の位置が設定され得る。従って、フォーカスレンズ１０３が当該位置に移動した後に得られる映像は、被写体である生体組織に焦点の合った映像である可能性が高い。以下の説明では、撮影用途に応じて予め設定される当該所定の位置のことを、予測合焦位置とも呼称する。
【００５９】
このように、本実施形態によれば、ＡＦ動作を正常に行うことが困難な場合に、フォーカスレンズ１０３が予測合焦位置に移動することにより、被写体である生体組織に対してより焦点の合った鮮明な映像が得られることとなる。従って、術者は、焦点合わせ等の追加的な作業を行うことなく、そのまま手術や検査を実行することが可能となる。よって、本実施形態によれば、より利便性の高い撮像システム１が提供され得る。
【００６０】
ＡＦ動作判定部１２５によるＡＦ動作判定処理、及びその後の撮像システム１における処理について、より詳細に説明する。上述したように、ＡＦ動作判定部１２５は、ＡＦ動作を正常に実行可能かどうか、すなわち、ＡＦ動作によって被写体への合焦が可能かどうか（ＡＦ動作によって被写体に焦点が合うようなフォーカスレンズ１０３の位置を決定可能かどうか）を判定する。なお、ＡＦ動作判定部１２５によるＡＦ動作判定処理は、ＡＦ動作が実行されている最中に、所定の間隔で随時実行され得る。
【００６１】
図示する構成例のようにコントラスト方式が適用される場合であれば、例えば、ＡＦ動作判定部１２５は、ＡＦ動作中に最終的なフォーカスレンズ１０３の位置（すなわち、被写体像のコントラストが最大になるようなフォーカスレンズ１０３の位置）が決定されない状態で所定の時間が経過した場合に、ＡＦ動作によって被写体への合焦ができないと判定することができる。また、例えば、ＡＦ動作判定部１２５は、ＡＦ動作中にフォーカスレンズ１０３がその可動範囲の端点に所定の回数到達した場合に、ＡＦ動作によって被写体への合焦ができないと判定することができる。あるいは、これらの判定基準が組み合わされて用いられてもよい。すなわち、被写体像のコントラストが最大になるようなフォーカスレンズ１０３の位置が決定されない状態で所定の時間が経過した場合、又は、ＡＦ動作中にフォーカスレンズ１０３がその可動範囲の端点に所定の回数到達した場合に、ＡＦ動作判定部１２５は、ＡＦ動作によって被写体への合焦ができないと判定してもよい。
【００６２】
なお、当該所定の時間、及び当該所定の回数としては、一般的にＡＦ動作の判定処理に用いられ得る値が適宜適用されてよい。当該所定の時間は、例えば約５秒間であり得る。また、当該所定の回数は、例えば各端点に１回ずつであり得る。また、上記の例では、ＡＦ動作判定部１２５は、ＡＦ動作中にフォーカスレンズ１０３がその可動範囲の端点に所定の回数到達したかどうかをＡＦ動作の判定基準としているが、当該判定基準は、ＡＦ動作中にフォーカスレンズ１０３がその可動範囲に含まれる特定の範囲の端点に所定の回数到達したかどうか、であってもよい。つまり、ＡＦ動作判定部１２５は、ＡＦ動作中にフォーカスレンズ１０３が適切な合焦位置を見付けられない状態でその可動範囲内の一部の範囲を移動したかどうかに応じて、ＡＦ動作を正常に実行可能かどうかを判定してもよい。
【００６３】
例えば、ＡＦ動作判定部１２５には、フォーカスレンズ移動量決定部１２３から、決定されたフォーカスレンズ１０３の移動量についての情報、及びＡＦ動作が終了したかどうかについての情報が提供され得る。ＡＦ動作判定部１２５は、これらの情報に基づいて、上述したようなＡＦ動作の判定処理を実行することができる。
【００６４】
ただし、ＡＦ動作判定部１２５によるＡＦ動作の判定処理の基準はかかる例に限定されない。本実施形態では、ＡＦ動作を正常に実行可能かどうかの判定基準としては、一般的にコントラスト方式でのＡＦ動作において用いられている各種の公知の判定基準が用いられてよい。
【００６５】
なお、撮像システム１において、ＡＦの方式として他の方式が適用される場合には、ＡＦ動作判定部１２５は、その適用されているＡＦの方式に応じた方法で、ＡＦ動作を正常に実行可能かどうかを適宜判定すればよい。ＡＦ動作を正常に実行可能かどうかを判定する方法としては、一般的に様々な方法が知られている。例えば、ＡＦの方式としてコントラストに基づく方式が適用されている既存の各種の撮像装置においては、被写体がいわゆるローコントラストであることを判定するための様々な方法が提案されている。ＡＦ動作判定部１２５は、適用されているＡＦの方式に基づいて、各種の公知の方法により判定処理を行ってよい。
【００６６】
ＡＦ動作判定部１２５によって、ＡＦ動作によって被写体への合焦が可能であると判定された場合には、ＡＦ制御部１１８によって上述したＡＦ動作に係る一連の処理が継続される、すなわち、そのままＡＦ動作が継続される。
【００６７】
一方、ＡＦ動作判定部１２５によって、ＡＦ動作によって被写体への合焦ができないと判定された場合には、ＡＦ動作判定部１２５は、フォーカスレンズ移動量決定部１２３にその旨の情報を提供する。この場合には、ＡＦ制御部１１８におけるＡＦ動作に係る処理が停止され、フォーカスレンズ移動量決定部１２３は、予測合焦位置にフォーカスレンズ１０３が移動するように当該フォーカスレンズ１０３の移動量を決定し、フォーカスレンズ駆動制御部（図示せず）及びフォーカスレンズ駆動部１１１を介して、当該移動量に従ってフォーカスレンズ１０３を移動させる。
【００６８】
当該予測合焦位置としては、上述したように、撮影用途に応じて想定される被写体距離に基づいて、当該被写体距離において被写体に焦点が合うようなフォーカスレンズ１０３の位置が設定され得る。従って、フォーカスレンズ１０３が当該予測合焦位置に移動することにより、被写体である生体組織に対して比較的焦点の合った映像が得られることとなる。
【００６９】
なお、「撮影用途」には、術式、診療科、及び術者の嗜好等が含まれ得る。術式及び／又は診療科が定まれば、どのような被写体距離でどのような生体組織を観察するかが高い確率で予想され得るため、術式及び／又は診療科に基づいて予測合焦位置を設定することにより、当該予測合焦位置としてより適切な位置を設定することが可能となる。また、同一の生体組織を観察する場合であっても、術者の嗜好によって、最適な被写体距離は異なる可能性がある。従って、撮像システム１を使用して術部を観察する術者に応じて予測合焦位置が設定されることにより、術者にとってより使い勝手の良い撮像システム１が実現され得る。
【００７０】
また、予測合焦位置は、撮像装置１０に取り付けられる光学系の光学特性に応じて設定されてもよい。例えば、撮像システム１においては、撮影用途（術式等）に応じて、互いに異なる種類の内視鏡が取り換えられて使用されることが想定される。一般的に、内視鏡では、その種類、すなわち当該内視鏡の光学系に応じて、使用が推奨される被写体距離が設定されていることが多い。従って、予測合焦位置を設定する際には、撮像装置１０に取り付けられる内視鏡の種類に基づいて、当該内視鏡の光学系に応じて設定され得る被写体距離を考慮して、被写体に焦点が合うように当該予測合焦位置が設定されてもよい。なお、内視鏡以外に他の光学系が介在する場合には、当該他の光学系の光学特性も加味して、予測合焦位置が設定されてもよい。あるいは、撮像システム１が顕微鏡システムであって、撮像装置１０に対応し得る部位である顕微鏡部に対して追加の光学系が取り付けられる場合であれば、当該追加の光学系の光学特性に応じて予測合焦位置が設定されてもよい。
【００７１】
なお、予測合焦位置は、上述したような予測合焦位置を決定し得る要因（術式、診療科、術者の嗜好、及び内視鏡の光学系等）に応じて、術者によって手術前に手動で設定されてよい。あるいは、例えば内視鏡の種類に応じて予測合焦位置が設定され得る場合であれば、撮像システム１に、取り付けられた内視鏡の種類を検出する機能が設けられてもよく、当該検出機能による検出結果に基づいて、内視鏡の種類に応じて自動的に予測合焦位置が設定されてもよい。
【００７２】
以上、図１を参照して、本実施形態に係る撮像システム１の構成について説明した。なお、図１に示す構成はあくまで一例であり、撮像システム１は、システム全体として以上説明した処理を実行可能であればよく、その具体的な装置構成は任意であってよい。例えば、図１において撮像装置１０に搭載されている機能のうちのいくつかが制御装置２０に搭載されてもよいし、逆に、制御装置２０に搭載されている機能のうちのいくつかが撮像装置１０に搭載されてもよい。
【００７３】
あるいは、図１に示す各ブロックに対応する機能は、より多くの複数の装置に分割されて搭載されてもよいし、１つの装置にその全てが搭載されてもよい。例えば、図１では、撮像システム１の一例として内視鏡システムに対応する構成を図示しているが、本実施形態では、撮像システム１は顕微鏡システムであってもよい。撮像システム１が顕微鏡システムである場合であれば、図示する全ての構成が１つの装置に搭載されて、撮像システム１が構成され得る。
【００７４】
また、上述のような本実施形態に係る撮像システム１の機能を実現するためのコンピュータプログラムを作製し、ＰＣ（Ｐｅｒｓｏｎａｌ  Ｃｏｍｐｕｔｅｒ）等の情報処理装置に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【００７５】
（２．撮像方法）
図４を参照して、以上説明した撮像システム１において実行される撮像方法の処理手順について説明する。図４は、本実施形態に係る撮像方法の処理手順の一例を示すフロー図である。
【００７６】
なお、本実施形態に係る撮像方法では、被写体を撮影するための一連の処理の中でも、当該被写体に対して焦点を合わせるための合焦動作処理において本実施形態に特徴的な処理が実行される。従って、図４では、本実施形態に係る撮像方法における一連の処理の中でも、合焦動作処理における処理手順について図示している。図４に示す一連の処理は、例えば術者によってＡＦ指示信号が入力された場合に実行され得る処理である。
【００７７】
なお、実際には、撮像システム１では、映像信号が取得されている最中に図４に示す一連の処理が実行されることにより、被写体に対して焦点の合った映像が得られることとなる。すなわち、図４に示すステップＳ１０１における処理に先立って、撮像信号に基づいて映像信号を取得する処理（図１に示す撮像信号処理部１１７によって実行される処理に対応する）が実行されている。
【００７８】
図４を参照すると、本実施形態に係る撮像方法における合焦動作処理では、まず、例えばＡＦ指示信号の入力をトリガとして、ＡＦ動作が実行される（ステップＳ１０１）。例えば、コントラスト方式が適用される場合であれば、ステップＳ１０３では、フォーカスレンズ１０３を移動させながら、被写体像のコントラストが最大になる当該フォーカスレンズ１０３の位置を探索する処理が実行される。当該処理は、図１に示すＡＦ制御部１１８、フォーカスレンズ駆動制御部（図示せず）及びフォーカスレンズ駆動部１１１によって実行される処理に対応している。ただし、本実施形態はかかる例に限定されず、ステップＳ１０３では、他の各種のＡＦの方式に基づくＡＦ動作が実行されてよい。
【００７９】
次に、ＡＦ動作中に、ＡＦ動作を正常に実行可能かどうか、すなわち、ＡＦ動作によって被写体への合焦が可能かどうかが判定される（ステップＳ１０３）。具体的には、ステップＳ１０３では、ステップＳ１０１で実行されたＡＦ動作の方式に応じた方法で、当該ＡＦ動作によって被写体への合焦が可能かどうかが判定され得る。
【００８０】
例えば、コントラスト方式が適用される場合であれば、ステップＳ１０３では、ＡＦ動作中に被写体像のコントラストが最大になるようなフォーカスレンズ１０３の位置が決定されない状態で所定の時間が経過した場合、又は、ＡＦ動作中にフォーカスレンズ１０３がその可動範囲の端点に所定の回数到達した場合に、ＡＦ動作によって被写体への合焦ができないと判定され、それ以外の場合には、ＡＦ動作によって被写体への合焦が可能であると判定される。
【００８１】
ただし、本実施形態はかかる例に限定されず、ステップＳ１０３では、各種のＡＦの方式において一般的に行われているＡＦ動作の実行可否の判定処理が実行されてよい。なお、ステップＳ１０３に示す処理は、図１に示すＡＦ動作判定部１２５によって実行される処理に対応している。
【００８２】
ステップＳ１０３における判定処理は、ＡＦ動作の最中に、所定の間隔で随時実行され得る。ステップＳ１０３においてＡＦ動作によって被写体への合焦が可能であると判定された場合には、ステップＳ１０１に戻り、ＡＦ動作が継続される。そして、所定の間隔の後、ステップＳ１０３において再度ＡＦ動作によって被写体への合焦が可能かどうかが判定される。ステップＳ１０１及びステップＳ１０３における処理が繰り返し実行されている間に、ＡＦ動作が正常に終了した場合、すなわち、被写体への合焦が正確に行われた場合には、本実施形態に係る撮像方法における一連の処理も終了する。
【００８３】
一方、ステップＳ１０３においてＡＦ動作によって被写体への合焦ができないと判定された場合には、ステップＳ１０５に進む。ステップＳ１０５では、撮影用途に応じて予め設定された所定の位置（予測合焦位置）にフォーカスレンズ１０３が移動される。当該予測合焦位置としては、撮影用途に応じて想定される被写体距離に基づいて、当該被写体距離において被写体に焦点が合うようなフォーカスレンズ１０３の位置が設定され得る。なお、ステップＳ１０５に示す処理は、図１に示すフォーカスレンズ移動量決定部１２３、フォーカスレンズ駆動制御部（図示せず）及びフォーカスレンズ駆動部１１１によって実行される処理に対応している。
【００８４】
ステップＳ１０５でフォーカスレンズ１０３が予測合焦位置に移動されると、本実施形態に係る撮像方法における一連の処理が終了する。このように、ＡＦ動作を正常に実行することができないと判定された場合に、予測合焦位置にフォーカスレンズ１０３が移動することにより、術者が焦点合わせのための追加的な作業を行わなくても、比較的焦点の合った鮮明な映像が取得されることとなり、術者の利便性を向上させることができる。
【００８５】
以上、図４を参照して、本実施形態に係る撮像方法の処理手順について説明した。
【００８６】
（３．変形例）
以上説明した実施形態におけるいくつかの変形例について説明する。なお、以下に説明する各変形例は、以上説明した実施形態に対して、ＡＦの方式が変更されたものに対応する。
【００８７】
（３−１．位相差方式が用いられる場合）
図１に示す撮像システム１において、ＡＦの方式として位相差方式が用いられた場合について説明する。位相差方式とは、観察光を受光面内の互いに異なる位置に結像させて得られた２つの被写体像の像間隔に基づいて被写体との距離を算出し、算出された当該被写体との距離に基づいて当該被写体に対して焦点が合うようにフォーカスレンズ１０３を移動させることにより合焦動作を行う方式のことである。
【００８８】
図５及び図６は、位相差方式におけるＡＦ動作の概念について説明するための説明図である。図５は、位相差方式におけるＡＦ動作を正常に実行し得る場合における被写体像のコントラストの一例を示している。図５に示すように、コントラストが比較的大きな被写体の場合には、２つの被写体像の像間隔を比較的明確に検出することができるため、当該像間隔に基づいて被写体との距離を算出することができ、ＡＦ動作を実行することができる。
【００８９】
一方、図６に示すように、コントラストが比較的小さい被写体の場合には、２つの被写体像の対応関係を取ることが難しく、当該２つの被写体像の像間隔を検出することが困難であるため、被写体との距離を算出することができず、ＡＦ動作が正常に行われない可能性がある。
【００９０】
このように、位相差方式でのＡＦ動作においても、上述した実施形態と同様に、ローコントラストの被写体に対しては、ＡＦ動作を正常に実行できない可能性がある。従って、位相差方式が用いられる場合においても、ＡＦ動作によって被写体への合焦ができないと判定された場合に予測合焦位置にフォーカスレンズを移動させるように撮像システムを構成することにより、術者にとってより利便性の高い撮像システムが実現され得る。
【００９１】
ＡＦの方式として位相差方式が適用された撮像システムは、図１に示す撮像システム１の構成において、ＡＦ制御部１１８におけるＡＦ動作に係る機能、及びＡＦ動作判定部１２５における判定基準が変更されたものに対応する。具体的には、位相差方式が適用された撮像システムでは、例えば、図１に示すＡＦ制御部１１８は、ＡＦ動作に係る処理として、機能２つの被写体像の像間隔を取得する処理、当該像間隔に基づいて被写体との距離を算出する処理、及び、算出された当該被写体との距離に基づいて当該被写体に対して焦点が合う位置までのフォーカスレンズ１０３の移動量を算出する処理、を実行する。また、例えば、ＡＦ動作判定部１２５は、位相差方式でのＡＦ動作において一般的に用いられている各種の方法によって、ＡＦ動作によって被写体への合焦が可能かどうかを判定する。
【００９２】
なお、位相差方式が用いられる場合には、撮像装置１０内に、撮影用の撮像素子１０５とは別に測距のために他の撮像素子が設けられてもよく、当該他の撮像素子によって得られた２つの被写体像に基づいてＡＦ動作が行われてもよい。あるいは、撮像素子１０５の受光面の中の一部に測距用の領域が確保されており、当該測距用の領域に対応する受光面において得られた２つの被写体像に基づいてＡＦ動作が行われてもよい。この場合には、１つの撮像素子１０５によって、被写体の撮影と、ＡＦ動作のための測距と、をともに行うことができるため、撮像装置１０の構成をより簡易なものとすることができる。
【００９３】
（３−２．デプスマップ方式が用いられる場合）
図１に示す撮像システム１において、ＡＦの方式としていわゆるデプスマップ方式が用いられた場合について説明する。デプスマップ方式とは、空間認識技術を用いたＡＦの方式であり、被写体像のぼけ具合（デフォーカス度合い）に基づいて被写体との距離を算出し、算出された当該被写体との距離に基づいて当該被写体に対して焦点が合うようにフォーカスレンズ１０３を移動させることにより合焦動作を行う方式のことである。
【００９４】
ここで、ローコントラストの被写体においては、デフォーカス度合いを正確に検出することが困難であることが知られている。つまり、デプスマップ方式でのＡＦ動作においても、上述した実施形態と同様に、ローコントラストの被写体に対しては、ＡＦ動作を正常に実行できない可能性がある。従って、デプスマップ方式が用いられる場合においても、ＡＦ動作によって被写体への合焦ができないと判定された場合に予測合焦位置にフォーカスレンズを移動させるように撮像システムを構成することにより、術者にとってより利便性の高い撮像システムが実現され得る。
【００９５】
ＡＦの方式としてデプスマップ方式が適用された撮像システムは、図１に示す撮像システム１の構成において、ＡＦ制御部１１８におけるＡＦ動作に係る機能、及びＡＦ動作判定部１２５における判定基準が変更されたものに対応する。具体的には、デプスマップ方式が適用された撮像システムでは、例えば、図１に示すＡＦ制御部１１８は、ＡＦ動作に係る処理として、被写体像のデフォーカス度合いを検出する処理、検出された被写体像のデフォーカス度合いに基づいて被写体との距離を算出する処理、及び、算出された当該被写体との距離に基づいて当該被写体に対して焦点が合う位置までのフォーカスレンズ１０３の移動量を算出する処理、を実行する。また、例えば、ＡＦ動作判定部１２５は、デプスマップ方式でのＡＦ動作において一般的に用いられている各種の方法によって、ＡＦ動作によって被写体への合焦が可能かどうかを判定する。
【００９６】
（３−３．三角測距方式が用いられる場合）
図１に示す撮像システム１において、ＡＦの方式としていわゆる三角測距方式が用いられた場合について説明する。三角測距方式とは、３Ｄステレオグラムの技術を用いたＡＦの方式であり、観察光を受光面内の互いに異なる位置に結像させて得られた２つの被写体像から得られる視差情報に基づいて三角測量の原理により被写体との距離を算出し、算出された当該被写体との距離に基づいて当該被写体に対して焦点が合うようにフォーカスレンズ１０３を移動させることにより合焦動作を行う方式のことである。
【００９７】
ここで、ローコントラストの被写体においては、２つの被写体像の対応関係を取ることが難しく、視差情報を正確に得ることが困難である。つまり、三角測距方式でのＡＦ動作においても、上述した実施形態と同様に、ローコントラストの被写体に対しては、ＡＦ動作を正常に実行できない可能性がある。従って、三角測距方式が用いられる場合においても、ＡＦ動作によって被写体への合焦ができないと判定された場合に予測合焦位置にフォーカスレンズを移動させるように撮像システムを構成することにより、術者にとってより利便性の高い撮像システムが実現され得る。
【００９８】
ＡＦの方式として三角測距方式が適用された撮像システムは、図１に示す撮像システム１の構成において、ＡＦ制御部１１８におけるＡＦ動作に係る機能、及びＡＦ動作判定部１２５における判定基準が変更されたものに対応する。具体的には、三角測距方式が適用された撮像システムでは、例えば、図１に示すＡＦ制御部１１８は、ＡＦ動作に係る処理として、２つの被写体像から視差情報を取得する処理、当該視差情報及び基線距離（２つの被写体像の結像位置に対応する受光素子間の距離）に基づいて三角測量の原理に基づいて被写体との距離を算出する処理、及び、算出された当該被写体との距離に基づいて当該被写体に対して焦点が合う位置までのフォーカスレンズ１０３の移動量を算出する処理、を実行する。また、例えば、ＡＦ動作判定部１２５は、三角測距方式でのＡＦ動作において一般的に用いられている各種の方法によって、ＡＦ動作によって被写体への合焦が可能かどうかを判定する。
【００９９】
なお、三角測距方式が用いられる場合には、撮像装置１０内に、撮影用の撮像素子１０５とは別に測距のために他の撮像素子が設けられてもよく、当該他の撮像素子によって得られた２つの被写体像に基づいてＡＦ動作が行われてもよい。あるいは、撮像素子１０５の受光面の中の一部に測距用の領域が確保されており、当該測距用の領域に対応する受光面において得られた２つの被写体像に基づいてＡＦ動作が行われてもよい。この場合には、１つの撮像素子１０５によって、被写体の撮影と、ＡＦ動作のための測距と、をともに行うことができるため、撮像装置１０の構成をより簡易なものとすることができる。
【０１００】
（４．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０１】
また、本明細書に記載された効果は、あくまで説明的又は例示的なものであって限定的なものではない。つまり、本開示に係る技術は、上記の効果とともに、又は上記の効果に代えて、本明細書の記載から当業者には明らかな他の効果を奏し得る。
【０１０２】
なお、以下のような構成も本開示の技術的範囲に属する。
（１）少なくとも１つの光学部材を移動させることによりオートフォーカス動作を実行させるオートフォーカス制御部と、前記オートフォーカス動作によって被写体である生体組織への合焦が可能かどうかを判定するオートフォーカス動作判定部と、を備え、前記オートフォーカス動作判定部によって、前記オートフォーカス動作により前記被写体への合焦ができないと判定された場合に、前記オートフォーカス制御部は、前記少なくとも１つの光学部材を、撮影用途に応じて予め設定される予測合焦位置に移動させる、制御装置。
（２）前記予測合焦位置は、前記被写体の撮影が行われる手術の術式に応じて設定される、前記（１）に記載の制御装置。
（３）前記予測合焦位置は、前記被写体の撮影が行われる診療科に応じて設定される、前記（１）又は（２）に記載の制御装置。
（４）前記予測合焦位置は、撮影された前記被写体を観察する術者に応じて設定可能である、前記（１）〜（３）のいずれか１項に記載の制御装置。
（５）前記予測合焦位置は、前記制御装置に接続される撮像装置に取り付けられた光学系の光学特性に応じて設定される、前記（１）〜（４）のいずれか１項に記載の制御装置。
（６）前記オートフォーカス動作は、被写体像のコントラストに基づいて実行される、前記（１）〜（５）のいずれか１項に記載の制御装置。
（７）前記オートフォーカス動作は、前記少なくとも１つの光学部材を移動させながら被写体像のコントラストが最大となる位置を探索し、当該コントラストが最大となる位置に前記少なくとも１つの光学部材を移動させることにより合焦を行う動作である、前記（６）に記載の制御装置。
（８）オートフォーカス動作中に被写体像のコントラストが最大となる前記少なくとも１つの光学部材の位置が決定されない状態で所定の時間が経過した場合に、当該オートフォーカス動作によって前記被写体への合焦ができないと判定され、前記少なくとも１つの光学部材が前記予測合焦位置に移動する、前記（７）に記載の制御装置。
（９）オートフォーカス動作中に前記少なくとも１つの光学部材が可動範囲に含まれる特定の範囲の端点に所定の回数到達した場合に、当該オートフォーカス動作によって前記被写体への合焦ができないと判定され、前記少なくとも１つの光学部材が前記予測合焦位置に移動する、前記（７）又は（８）に記載の制御装置。
（１０）前記オートフォーカス動作は、被写体からの光を受光面内の互いに異なる位置に結像させて得られた２つの被写体像の像間隔に基づいて前記被写体との距離を算出し、当該距離に基づいて前記少なくとも１つの光学部材を移動させることにより合焦を行う動作である、前記（６）に記載の制御装置。
（１１）前記オートフォーカス動作は、被写体像のデフォーカス度合いに基づいて前記被写体との距離を算出し、当該距離に基づいて前記少なくとも１つの光学部材を移動させることにより合焦を行う動作である、前記（６）に記載の制御装置。
（１２）前記オートフォーカス動作は、被写体からの光を受光面内の互いに異なる位置に結像させて得られた２つの被写体像から得られる視差情報に基づいて三角測量の原理により前記被写体との距離を算出し、当該距離に基づいて前記少なくとも１つの光学部材を移動させることにより合焦を行う動作である、前記（６）に記載の制御装置。
（１３）被写体である生体組織を撮影する撮像素子と、前記撮像素子に前記被写体からの光を集光するとともに、合焦動作のために少なくとも１つの光学部材が光軸上を移動可能に構成される光学系と、前記少なくとも１つの光学部材を移動させることによりオートフォーカス動作を実行させるオートフォーカス制御部と、前記オートフォーカス動作によって前記被写体への合焦が可能かどうかを判定するオートフォーカス動作判定部と、を備え、前記オートフォーカス動作判定部によって、オートフォーカス動作により前記被写体への合焦ができないと判定された場合に、前記オートフォーカス制御部は、前記少なくとも１つの光学部材を、撮影用途に応じて予め設定される予測合焦位置に移動させる、医療用撮像システム。
【符号の説明】
【０１０３】
１    撮像システム
１０    撮像装置
２０    制御装置
１０１    光学系
１０２    ズームレンズ
１０３    フォーカスレンズ
１０５    撮像素子
１０７    ズームレンズ駆動部
１１１    フォーカスレンズ駆動部
１１５    撮像素子駆動部
１１７    撮像信号処理部
１１８    ＡＦ制御部
１１９    ＡＦフレーム決定部
１２１    コントラスト検出部
１２３    フォーカスレンズ移動量決定部
１２５    ＡＦ動作判定部
１２７    ズーム動作制御部
【図１】
2016185952.tif 000003
【図２】
2016185952.tif 000004
【図３】
2016185952.tif 000005
【図４】
2016185952.tif 000006
【図５】
2016185952.tif 000007
【図６】
2016185952.tif 000008
【国際調査報告】
2016185952.tif 000009
2016185952.tif 000010
2016185952.tif 000011
2016185952.tif 000012